(57)【要約】【課題】静音性能が良好で、樹脂材製テンショナへのゴム成形圧力による変形を抑止し、各種形態のテンショナに適用可能なテンショナを提供することを目的とする。【解決手段】スプロケット間に架け渡されたチェーンまたはベルトを摺動させる帯状の摺動面を備えた充填材としてガラスを含まない樹脂材製のアーム本体と、前記アーム本体の前記摺動面と反対側の面にテンショナリフタのプッシュロッドが当接する受部を設けたテンショナにおいて、前記受部が、前記アーム本体側に固着される共に、充填材としてガラスを含む樹脂材製の支持部と、前記支持部の表面に前記プッシュロッドが当接するゴム状弾性材製の当接部とより構成されていることを特徴とする。【選択図】  図２
2013119938.tif 000002
【特許請求の範囲】
【請求項１】
スプロケット（１１）、（３１）間に架け渡されたチェーン（２０）またはベルトを摺動させる帯状の摺動面（１２）を備えた充填材としてガラスを含まない樹脂材製のアーム本体（１）と、前記アーム本体（１）の前記摺動面（１２）と反対側の面にテンショナリフタ（７０）のプッシュロッド（７１）が当接する受部（２）を設けたテンショナ（９）において、
前記受部（２）が、前記アーム本体（１）側に固着される共に、充填材としてガラスを含む樹脂材製の支持部（２１）と、前記支持部（２１）の表面に前記プッシュロッド（７１）が当接するゴム状弾性材製の当接部（２２）とより構成されていることを特徴とするテンショナ。
【請求項２】
前記支持部（２１）が、前記アーム本体（１）との間に抜け防止手段（２１１）を設けていることを特徴とする請求項１記載のテンショナ。
【請求項３】
前記アーム本体（１）と前記支持部（２１）が二色成形方法のより一体成形した後、前記支持部（２１）の表面に前記当接部（２２）を一体成形したことを特徴とする請求項１または２記載のテンショナ。
【請求項４】
前記支持部（２１）に前記当接部（２２）を一体成形した後、前記支持部（２１）を前記アーム本体（１）に固着したことを特徴とする請求項１または２記載のテンショナ。
【発明の詳細な説明】
【技術分野】
【０００１】
本発明は、テンショナに関する。
また、本発明は、動力伝達手段として使用されるチェーンまたはベルト等の張りを緊張させるためのテンショナに関するものである。
【０００２】
更にまた、本発明は、内燃機関のカムチェーン用のテンショナとして好適に用いられるテンショナに関する。
【背景技術】
【０００３】
従来、チェーンまたはベルトの巻き掛け伝動手段を使用した機械装置においては、チェーンまたはベルトの張りが弛緩して動力伝達効率が低下するのを防止する為に、チェーンまたはベルトの張りを緊張させるためのテンショナが併設されている。
【０００４】
具体的には、図５に示す形で使用されている。
すなわち図５は、内燃機関のカムチェーン室を通る縦断面図であり、図の左方が前方である。
クランク軸１０およびドライブスプロケット１１は図の矢印の方向へ回転する。
カムチェーン２０を介して駆動されるドリブンスプロケット３１およびカムシャフト３０は矢印の方向へ回転させられる。
ドライブスプロケット１１によって引っ張られる側のカムチェーン２０に沿って、このカムチェーン２０を案内するカムチェーンガイド４０が設けてあり、カムチェーン室を構成しているハウジング５０側に固定されている。
カムチェーンガイド４０のカムチェーン２０と摺動する側の断面は、略カムチェーン２０の幅に相当する凹溝となっており、カムチェーン２０はその溝底を摺動する。
【０００５】
一方、ドライブスプロケット１１によって押し出される側のカムチェーン２０に沿って、カムチェーンテンショナ９０が設けてある。
このカムチェーンテンショナ９０は、その下端部の取付部４００を中心として揺動可能に支持されている。
ハウジング５０を貫通してテンショナリフタ７０が設けられ、チェーン室内部に突出したプッシュロッド７１の先端でカムチェーンテンショナ９０に設けたゴム状弾性材製の受部８００を押し、押されたカムチェーンテンショナ９０がカムチェーン２０を押して、カムチェーン２０の弛みが防止されている。
【０００６】
カムチェーンテンショナ９０は、図６に示す様に、弾力性に富んだスチール系金属で作られた補強板と、この補強板と一体的に形成されているゴム状弾性材製の帯状の摺動面部６００とから構成されている。
カムチェーンテンショナ９０の摺動面部６００は、カムチェーン２０の撓みの形に湾曲成型され、そのカムチェーンテンショナ９０の摺動部側の断面は、ほぼカムチェーン２０の幅に相当する凹溝となっており、カムチェーン２０はその溝底を摺動する。
すなわち、カムチェーン２０が摺動面部から外れる事が無いように摺動面部の幅方向両側に側壁部を設ける構成としている。
【０００７】
しかし、金属で作られた補強板にゴム状弾性材製の帯状の摺動面部６００を一体成形する構成としている為、カムチェーンテンショナ９０自体の重量が重くならざるを得ず、小型軽量化を要求される用途には不向きで有った。
更に、構造が複雑となり、製造コストが嵩む問題を惹起した。
また、ゴム状弾性材製の受部８００は、プッシュロッド７１により常に荷重を受けている為、長期間使用されると、ゴム状弾性材製の受部８００にヘタリ（永久歪み）が生じ、カムチェーン２０への押圧力が低下すると共に、早期に摩耗する問題を惹起した。
特に、内燃機関の様な高温の環境に曝される場合は、ゴム状弾性材製の受部８００のヘタリ（永久歪み）が顕著であった。
【０００８】
そこで、この様な問題を解決する為に、図７に示す様な樹脂材のみで、受部８００と摺動面部６００を形成したテンショナ９０を製作する事が行われている。
しかし、この種テンショナ９０は、静音性能が劣る問題があった。
そこで、樹脂材製のテンショナにゴム状弾性材製の受部を一体的に設ける試みがなされたが、ゴムの成形圧力によりテンショナが変形する問題を招来した。
【０００９】
この為、樹脂材にガラス充填材を入れたものを使用する試みが行われたが、ゴムの成形圧力によるテンショナの変形は低く抑えられるが、樹脂材に含まれるガラス充填材によりカムチェーンが早期に摩耗する問題を惹起した。
【先行技術文献】
【特許文献】
【００１０】
【特許文献１】実開平６−１４４４６号公報
【特許文献２】特開２００２−７０９６３号公報
【特許文献３】特開２００４−１５０５５１号公報
【発明の概要】
【発明が解決しようとする課題】
【００１１】
本発明は、上述した問題点に鑑みてなされたものであり、静音性能が良好で、樹脂材製テンショナへのゴム成形圧力による変形を抑止し、各種形態のテンショナに適用可能なテンショナを提供することを目的とする。
【課題を解決するための手段】
【００１２】
本発明のテンショナは、スプロケット間に架け渡されたチェーンまたはベルトを摺動させる帯状の摺動面を備えた充填材としてガラスを含まない樹脂材製のアーム本体と、前記アーム本体の前記摺動面と反対側の面にテンショナリフタのプッシュロッドが当接する受部を設けたテンショナにおいて、前記受部が、前記アーム本体側に固着される共に、充填材としてガラスを含む樹脂材製の支持部と、前記支持部の表面に前記プッシュロッドが当接するゴム状弾性材製の当接部とより構成されていることを特徴とする。
【発明の効果】
【００１３】
本発明は、以下に記載されるような効果を奏する。
請求項１記載の発明のテンショナによれば、静音性能が良好で、樹脂材製アーム本体へのゴム成形圧力による変形を抑止し、各種形態のテンショナに適用可能である。
請求項２記載の発明のテンショナによれば、受部と樹脂材製アーム本体との一体化が、接着剤を使用する事無く、確実に達成できる。
【００１４】
請求項３記載の発明のテンショナによれば、樹脂材製アーム本体がゴム成形圧力により変形する事を抑止出来る。
請求項４記載の発明のテンショナによれば、摩耗損傷した受部のみを交換する事が可能である。
【図面の簡単な説明】
【００１５】
【図１】本発明のテンショナが適用される内燃機関のカムチェーン室を通る要部縦断面図。
【図２】図１に使用したテンショナの一部を断面で示した図。
【図３】図２の部分拡大図。
【図４】本発明に係る他の態様を図３と同様に示した図。
【図５】従来のテンショナが適用される内燃機関のカムチェーン室を通る要部縦断面図。
【図６】図５に示したテンショナの側面図。
【図７】従来技術に係る他のテンショナの側面図。
【発明を実施するための形態】
【００１６】
以下、本発明を実施するための最良の形態について、図に基づき説明する。
＜第１実施形態＞
図１において、内燃機関のカムチェーン室を通る縦断面図であり、図の左方が前方である。
クランク軸１０およびドライブスプロケット１１は図の矢印の方向へ回転する。
カムチェーン２０を介して駆動されるドリブンスプロケット３１およびカムシャフト３０は矢印の方向へ回転させられる。
【００１７】
ドライブスプロケット１１によって引っ張られる側のカムチェーン２０に沿って、このカムチェーン２０を案内するカムチェーンガイド４０が設けてあり、カムチェーン室を構成しているハウジング５０側に固定されている。
カムチェーンガイド４０のカムチェーン２０と摺動する側の断面は、略カムチェーン２０の幅に相当する凹溝となっており、カムチェーン２０はその溝底を摺動する。
【００１８】
一方、ドライブスプロケット１１によって押し出される側のカムチェーン２０に沿って、テンショナ９が設けてある。
このテンショナ９は、その下端部の取付部４００を中心として揺動可能に支持されている。
【００１９】
ハウジング５０を貫通してテンショナリフタ７０が設けられ、チェーン室内部に突出したプッシュロッド７１の先端でテンショナ９に設けた受部２を押し、押されたカムチェーンテンショナ９がカムチェーン２０を押して、カムチェーン２０の弛みが防止されている。
本発明に係るテンショナ９は、スプロケット１１、３１間に架け渡されたチェーン２０またはベルトを摺動させる帯状の摺動面１２を備えた、充填材としてガラスを含まない樹脂材製アーム本体１と、このアーム本体１の摺動面１２と反対側の面にテンショナリフタ７０のプッシュロッド７１が当接する受部２を設ける構成としている。
【００２０】
そして、この受部２は、アーム本体１側に固着される共に、充填材としてガラスを含む樹脂材製の支持部２１と、この支持部２１の表面にプッシュロッド７１が当接するゴム状弾性材製の当接部２２とより構成されている。
【００２１】
支持部２１は、アーム本体１との間に抜け防止手段２１１を設けている。
この抜け防止手段２１１は、支持部２１の長手方向両端（図上左右）が蟻溝（中に行くに従い穴の広さが広がっている）形状になっている。
この為、受部２と樹脂材製アーム本体１との一体化が、接着剤を使用する事無く、確実に達成できる。
【００２２】
また、当接部２２は、支持部２１の球状表面に均一の肉厚で一体成形されている。
この様な構成としている為、ゴム状弾性材製の当接部２２のヘタリ（永久歪み）が低く抑えられると共に、静音性能が良好で、樹脂材製アーム本体１へのゴム成形圧力による変形を抑止し、各種形態のテンショナに適用可能である。
このアーム本体１と支持部２１とは、二色成形方法により一体成形され、その後、支持部２１の表面にゴム状弾性材製の当接部２２を一体成形する事により製作される。
しかし、場合によっては、支持部２１に当接部２２を一体成形した後、支持部２１をアーム本体１に固着する態様とする事も可能である。
この様な成形方法を採る事により、摩耗損傷した受部２のみを交換する事が可能と成る。
【００２３】
＜第２実施形態＞
ついで、図４に基づき第２実施形態を説明する。
第１実施形態と相違する点は、支持部２１がアーム本体１表面から突出していない為、その分当接部２２の断面形状が半円状態で、プッシュロッド７１が当接する部位が肉厚形状を呈している。
また、支持部２１の抜け防止手段２１１は、途中に括れ部２１２を途中に設けた円柱状部２１３を設ける事により、アーム本体１から支持部２１が抜け落ちるのを防止している。
【００２４】
また、アーム本体１の材質は、各種の樹脂材料が適用可能であるが、ガラス充填材を含まないポリアミド樹脂が好適に用いられる。
ガラス充填剤を含まない樹脂を使用する事により、チェーンまたはベルトへのダメージを低減出来る。
【００２５】
また、支持部２１の材質は、各種の樹脂材料が適用可能であるが、ガラス充填材を含むポリアミド樹脂が好適に用いられる。
ガラス充填剤を含む樹脂を使用する事により、当接部２２を成形する際の、樹脂材製アーム本体１へのゴム成形圧力による変形を抑止出来る。
【００２６】
また、当接部２２の材質としては、各種のゴム材が適宜選択して用いられるが、内燃機関内で使用される環境では、耐熱性のゴム材であると共にエンジンオイルに対する耐油性も備えたゴム材が選択されるが、ニトリルゴム、アクリルゴムが好適に用いられる。
【００２７】
また、本発明は上述の発明を実施するための最良の形態に限らず本発明の要旨を逸脱することなくその他種々の構成を採り得ることはもちろんである。
【産業上の利用可能性】
【００２８】
内燃機関のカムチェーン用のテンショナとして好適に用いられる。
【符号の説明】
【００２９】
１    アーム本体
２    受部
９    テンショナ
１０  クランク軸
１１  スプロケット
１２  摺動面
２１  支持部
２２  当接部
２１１抜け防止手段
２１２括れ部
２１３円柱状部
【図１】
2013119938.tif 000003
【図２】
2013119938.tif 000004
【図３】
2013119938.tif 000005
【図４】
2013119938.tif 000006
【図５】
2013119938.tif 000007
【図６】
2013119938.tif 000008
【図７】
2013119938.tif 000009